(57)【特許請求の範囲】
【請求項１】
第１・第２の一対のくちばし４Ａ・４Ｂの片方に、プラスチック製の棒状の保護ブロック１０が装着してある智用プライヤであって、
第１くちばし４Ａは、先すぼまり状に形成されて、第２くちばし４Ｂとの対向面に平坦な第１挟持面５が設けられており、
第２くちばし４Ｂは、第１挟持面５と対向する平坦な取付面６を含んで偏平棒状に形成されており、
保護ブロック１０は、その一側に設けた取付溝１１が、第２くちばし４Ｂに取付面６の側から外嵌接合されて、ビス１７で第２くちばし４Ｂに締結固定されており、
保護ブロック１０の他側に、第１挟持面５と対向する平坦で幅狭の第２挟持面１３が設けられており、
第２挟持面１３の前後両側のそれぞれに逃げ面１４・１４を設けて、第１くちばし４Ａと対向する挟み部１２が、断面台形状に形成されていることを特徴とする眼鏡枠の智用プライヤ。
【請求項２】
第２挟持面１３の前後幅が、第１くちばし４Ａの先端の前後幅よりも大きくて、第２くちばし４Ｂの先端の前後幅よりも小さく設定されており、
第２くちばし４Ｂに設けた挿通孔７に差し込んだビス１７を取付溝１１の溝底にねじ込むことにより、保護ブロック１０が第２くちばし４Ｂに固定されている請求項１記載の眼鏡枠の智用プライヤ。
【発明の詳細な説明】
【０００１】
【発明の属する技術分野】
本発明は、眼鏡枠のテンプルの開き具合を調整するためのプライヤ、とくに智の部分を挟持するプライヤに関する。
【０００２】
【従来の技術】
既製品である眼鏡枠の殆どは、個々の使用者に応じて形状修正を行う必要がある。そのために、数十種もの専用プライヤが市販されている。これらのプライヤは眼鏡枠の特定部分を確実に挟持するために、くちばしの部分に例えば溝や凹部を備えている。さらに、一方あるいは両方のくちばしにプラスチック製の保護ブロックをビス止めして、挟持部分やその周辺部分の疵付きを防ぐようにしたプライヤもある。
【０００３】
テンプルの開き具合を調整する際には、テンプルとリムとの間の智のコーナー角度を大小に変更して行う。この場合に、智の形状や構造、あるいはリム側の構造の違いによって、プライヤでリムロックごとリムを挟持する場合と、智のリム側の基部を挟持する場合とがある。リムの下半周縁が省略されたツーポイントフレーム型の眼鏡枠の場合には、リム部分を挟持するのが難しいため、Ｌ字形に曲がる智の基部を一方のプライヤで挟持し、智の腕部を他方のプライヤで挟持して、腕部の基部に対する曲がり具合を調整している。このとき使用されるプライヤは、くちばしの一方に角棒状の保護ブロックが固定してあって、調整時の智の表面に挟持疵が付くのを避けている。
【０００４】
【発明が解決しようとする課題】
このように保護ブロックを備えた智用プライヤは、智やリムの表面の疵付きを確実に防止できるが、保護ブロックの幅が１０mm前後と大きいため、調整作業が幾分行いにくくなる。智の基部の長さが小さいため、２個のプライヤで腕部と基部とを挟持すると、両者のくちばしどうしが接近し、腕部を曲げ操作する場合に、くちばしと保護ブロックどうしが接当干渉するからである。レンズの周縁厚みが大きい場合には、基部を挟む保護ブロックがレンズの周縁に接当して、基部を確りと挟持できないこともある。保護ブロックの幅寸法を小さくするのは容易であるが、そうすると保護ブロックの強度が低下し、使用途中にひび割れするなど十分な耐久性が得られない。
【０００５】
本発明の目的は、智の基部を挟持してテンプルの開き具合を調整するのに好適な眼鏡枠の智用プライヤを提供することにある。
本発明の他の目的は、一方のくちばしに保護ブロックが装着してある智用プライヤであるにも拘らず、智の基部と腕部とを挟持したプライヤどうしの接当干渉や、保護ブロックのレンズ周縁との接当干渉を解消して、テンプルの開き具合の調整を確実にしかも容易に行えるようにすることにある。
本発明の更に他の目的は、挟持面の面積が小さいにもかかわらず、十分な強度を備えていて、長期使用時にもひび割れや部分的な欠損を生じることがなく、耐久性に優れた保護ブロックを備えた、眼鏡枠の智用プライヤを提供することにある。
【０００６】
【課題を解決するための手段】
本発明の智用プライヤは、第１・第２の一対のくちばし４Ａ・４Ｂの片方に、プラスチック製の棒状の保護ブロック１０が装着してある。第１くちばし４Ａは、先すぼまり状に形成されて、第２くちばし４Ｂとの対向面に平坦な第１挟持面５が設けてある。第２くちばし４Ｂは、第１挟持面５と対向する平坦な取付面６を含んで偏平棒状に形成する。保護ブロック１０は、その一側に設けた取付溝１１を第２くちばし４Ｂに取付面６の側から外嵌接合し、ビス１７で第２くちばし４Ｂに締結固定する。保護ブロック１０の他側に、第１挟持面５と対向する平坦で幅狭の第２挟持面１３を設ける。第２挟持面１３の前後両側のそれぞれに逃げ面１４・１４を設けて、第１くちばし４Ａと対向する挟み部１２を断面台形状に形成する。
【０００７】
第２挟持面１３の前後幅は、第１くちばし４Ａの先端の前後幅よりも大きく、第２くちばし４Ｂの先端の前後幅よりも小さく設定する。第２くちばし４Ｂに設けた挿通孔７に差し込んだビス１７を取付溝１１の溝底にねじ込むことにより、保護ブロック１０を第２くちばし４Ｂに固定する。
【０００８】
【作用】
本発明プライヤの使用時には、図５に示すように保護ブロック１０が智２２の外表面に接当する状態で、基部２４を一対のくちばし４Ａ・４Ｂで挟持する。この挟持状態においては、腕部２５を挟持する別のプライヤのくちばし３１に対して一方の逃げ面１４が隣接しているので、腕部２５を曲げ操作しても、別のプライヤのくちばし３１が保護ブロック１０に接当干渉することはない。他方の逃げ面１４はレンズ２１の周縁厚みが大きい場合に、保護ブロック１０がレンズ２１と接当するのを避けるのに役立つ。
【０００９】
保護ブロック１０に設けた第２挟持面１３の前後幅が、第１くちばし４Ａの先端幅と同じかこれより小さいと、たとえ保護ブロック１０を高機能のプラスチック材で形成したとしても、十分な強度を得難く、第２挟持面１３が滑りやすくなる。逆に、第２挟持面１３の幅が第２くちばし４Ｂの先端幅より大きいと、第２挟持面４Ｂがレンズ２１の周縁に接当するうえ、調整時に腕部２５を挟む他のプライヤのくちばし３１が第２挟持面１３と接当するおそれがある。こうした理由から、第２挟持面１３の前後幅は、第１・第２の両くちばし４Ａ・４Ｂの先端幅との関係で寸法設定する。
【００１０】
【実施例】
図１ないし図５は本発明に係る智用プライヤの実施例を示す。図２において智用のプライヤは、左右一対の挟み腕１ａ・１ｂをＸ字形に組み、交差部分を軸２で止め付けて形成してあり、交差部分の一側に外凸状に湾曲する柄３を設け、他側に第１・第２の一対のくちばし４Ａ・４Ｂを設けてある。第１くちばし４Ａは、基部から突端に向かって先すぼまりに形成し、第２くちばし４Ｂとの対向面に平坦な第１挟持面５が設けられている。
【００１１】
第２くちばし４Ｂは、第１くちばし４Ａと対向する側に平坦な取付面６を有し、全体が偏平棒状に形成してある。第２くちばし４Ｂの前後面は平行に形成するが、取付面６と対向する外側面はくちばし先端へ向かって先すぼまり状にわずかに傾斜している。この外側面の基部寄りには、図３に示すごとく、後述するビス１７用の挿通孔７とビス頭部を受け入れるビス座８とが段付きの貫通穴状に形成してある。第２くちばし４Ｂの取付面６の側には、第１くちばし４Ａと協同して智２２の基部２４（図５参照）を挟持する保護ブロック１０が付設される。
【００１２】
図３において保護ブロック１０は、ポリアセタールを素材とする棒状のプラスチックブロックからなり、その一側に断面コ字形の取付溝１１を長手方向に沿って設け、他側に挟み部１２を長手方向に沿って設ける。取付溝１１側の先端隅部は斜めに切除してある。挟み部１２は，平坦で幅狭の第２挟持面１３と、挟持面１３に連続する前後一対の平坦な傾斜状の逃げ面１４・１４とで、断面形状を等脚台形状に形成する。取付溝１１の溝底の基端寄りには、ビス１７用のねじ下穴１５が第２挟持面１３に達する状態で形成してある。
【００１３】
第２挟持面１３の前後幅は、第１・第２の両くちばし４Ａ・４Ｂの前後幅との関係で設定する。詳しくは、第２挟持面１３の前後幅を、第１くちばし４Ａの先端の前後幅（約２mm）よりも大きく、第２くちばし４Ｂの先端の前後幅（約６mm）よりも小さく寸法設定する。この実施例では、保護ブロック１０の前後厚み寸法を９mmとするとき、第２挟持面１３の前後幅を３mmとした。両逃げ面１４・１４の第２挟持面１３に対する傾斜角度は４５度とした。
【００１４】
図４において保護ブロック１０は、取付溝１１の溝底が取付面６に接合する状態で第２くちばし４Ｂに外嵌装着し、さらに第２くちばし４Ｂの外面側から挿通孔７に差し込んだビス１７をねじ下穴１５にねじ込むことによって、第２くちばし４Ｂと一体化する。この装着状態において、第１・第２の両挟持面５・１３が図２に示すごとく左右に対向する。柄３を握り締めた状態では、第１くちばし４Ａの先端と保護ブロック１０の先端とのみが接当し、両者４Ａ・１０の間隔は先端からくちばし基部に近付くに従って徐々に拡がる。
【００１５】
図５は智用プライヤの使用状態を示している。対象としてツーポイントフレーム型の眼鏡枠を例示しており、符号２０はリム、２１はレンズ、２２は一端がリム２０にろう付けられた智、２３は智２２に対して屈折自在に連結されたテンプルである。智２２はリム２０側の基部２４と、テンプル２３側の腕部２５とでＬ字状に屈曲している。
【００１６】
テンプル２３の開き具合を調整する場合には、上記の実施例で説明したプライヤで基部２４を挟持固定し、他種のプライヤのくちばし３１で腕部２５を挟持して、腕部２５を内外いずれかへ曲げる。詳しくは、保護ブロック１０を基部２４の外表面に当てがいながら、両くちばし４Ａ・４Ｂで基部２４を挟持固定する。この挟持状態においては、腕部２５を挟持するプライヤのくちばし３１に対して、保護ブロック１０の一方の逃げ面１４が隣接するので、くちばし３１と保護ブロック１０との間隔を稼ぐことができ、腕部２５を拡開状に曲げ変形する場合に、くちばし３１が保護ブロック１０と接当干渉するのを防止できる。また、他方の逃げ面１４は基部２４から遠ざかるに従って徐々にリム２０から離れるので、レンズ２１の周縁厚みが大きい場合にも、レンズ２１と接当することなく基部２４を挟み固定できる。なお、本発明に係る２個のプライヤで基部２４と腕部２５とのそれぞれを挟持して調整する場合にも、同様の接当回避作用が得られる。
【００１７】
上記の実施例では、挟み部１２の断面形状を等脚台形状に形成したが、一対の逃げ面１４の傾斜度合は異なっていてもよい。両逃げ面１４は緩やかに湾曲する凸曲面や凹曲面で形成することができる。必要があれば、ビス１７を第２挟持面１３の側からねじ込んでもよい。
【００１８】
【発明の効果】
本発明の智用プライヤでは、保護ブロック１０の挟み部１２を断面台形状に形成して、第１くちばし４Ａと対向する第２挟持面１３の両側に、逃げ面１４・１４を設けてあるので、智２２の腕部２５と基部２４とをプライヤで挟持してテンプル２３の開き具合を調整する場合に、隣接するプライヤどうしのくちばし３１と保護ブロック１０とが接当干渉するのを防止できる。また、レンズ２１の周縁厚みが分厚い場合にも、保護ブロック１０がレンズ２１に接当するのを防止して、基部２４を確実に挟持固定できる。従って、テンプル２３の開き具合の調整を確実にしかも容易に行え、とくにツーポイントフレーム型の眼鏡枠のテンプル調整に好適なプライヤが得られる。挟み部１２を第２挟持面１３と一対の逃げ面１４・１４とで断面台形状に形成し、第２挟持面１３の前後幅はできるだけ幅狭にしながら、保護ブロック１０の構造強度の低下を避けるようにしたので、長期使用時にもプラスチック製の保護ブロック１０が割れたり欠損するのをよく防止できる。
【図面の簡単な説明】
【図１】プライヤのつかみ部の斜視図である。
【図２】プライヤの一部破断正面図である。
【図３】保護ブロックと第２くちばしを分離した状態での斜視図である。
【図４】図２におけるＡ−Ａ線断面図である。
【図５】プライヤの使用状態を示す説明図である。
【符号の説明】
４Ａ  第１くちばし
４Ｂ  第２くちばし
５  第１くちばしの第１挟持面
６  第２くちばしの取付面
７  挿通孔
１０  保護ブロック
１１  取付溝
１２  挟み部
１３  第２挟持面
１４  逃げ面
１７  ビス
【図１】
0004017715.tif 000002
【図２】
0004017715.tif 000003
【図３】
0004017715.tif 000004
【図４】
0004017715.tif 000005
【図５】
0004017715.tif 000006